(57)【要約】【課題】不良券が搬送経路または金庫へ戻って循環することを防止して、出金処理速度を向上させるとともに、不良券詰まり等の障害を抑制し、ひいては製品品質を向上させた現金処理装置を提供する。【解決手段】現金処理装置は、挿入口および払出口１２を介して金庫Ｃに現金を入出金する装置であり、挿入口、払出口１２および金庫Ｃを接続する搬送経路２１と現金を識別する識別部２０とを有し搬送経路２１を介して現金を搬送する搬送手段２と、挿入口から挿入された現金を一時的に保留する一時保留部Ｅと、一時保留部Ｅとは別に設けられ現金を貯留する不良券回収部Ｇとを有し、金庫Ｃにある現金を払い出す払出指令に応じて払出指令に係る現金を金庫Ｃから払出口１２へ搬送手段２を通じて搬送させる際に、識別部２０による識別結果に基づいて金庫Ｃから出庫された現金が払出指令に係る現金であるか否かを判定し、払出指令に係る現金でないと判定された場合はその現金を不良券として不良券回収部Ｇへ搬送し、不良券を不良券回収部Ｇに貯留し続ける。【選択図】図４
2011053888.tif 000002
【特許請求の範囲】
【請求項１】
挿入口および払出口を介して金庫に現金を入出金する現金処理装置であって、
前記挿入口、前記払出口および前記金庫を接続する搬送経路と現金を識別する識別部とを有し当該搬送経路を介して現金を搬送する搬送手段と、
前記挿入口から挿入された現金を一時的に保留する一時保留部と、
前記一時保留部とは別に設けられ現金を貯留する不良券回収部と、
前記金庫にある現金を払い出す払出指令に応じて当該払出指令に係る現金を前記金庫から前記払出口へ前記搬送手段を通じて搬送させる制御部とを具備してなり、
前記制御部は、前記識別部による識別結果に基づいて前記金庫から出庫された現金が前記払出指令に係る現金であるか否かを判定し、前記払出指令に係る現金でないと判定された場合は当該現金を不良券として前記不良券回収部へ搬送し、前記不良券を前記不良券回収部に貯留し続けることを特徴とする現金処理装置。
【請求項２】
前記不良券回収部は、前記搬送経路のうち前記金庫から出庫する出金方向終端部に接続されている請求項１に記載の現金処理装置。
【請求項３】
前記不良券回収部における前記不良券の貯留量を検出する貯留量検出部をさらに備え、前記制御部は、前記貯留量検出部により検出される貯留量が所定量を超える場合に外部に報知する請求項１又は２に記載の現金処理装置。
【発明の詳細な説明】
【技術分野】
【０００１】
本発明は、現金の投入に応じて発券や商品販売等の取引を行い、釣りを返却する自動発券機等に用いる現金処理装置に係り、特に現金を識別する機能を備えた現金処理装置に関する。
【背景技術】
【０００２】
自動発券機や自動販売機等の現金処理装置は、現金を収納する金庫を有し、利用者側に設けられた現金を挿入する挿入口および釣り札等の現金を返却する払出口を介して金庫に現金を入出金するものである。この現金処理装置は、挿入口、払出口及び金庫を接続する搬送経路と現金を識別する識別部と現金の位置を検出する各種センサとを有する搬送手段と、この搬送手段を通じて現金を搬送させ取引に応じた入出金制御を行う制御部とを備える構成が通例である。
【０００３】
このような従来の現金処理装置は、挿入口１０１１から挿入された現金のうち識別部１０２２により不良券であると識別された現金の一括返却などを可能とするため、特許文献１及び図５（ａ）に例示されるように、現金を一時的に保留する一時保留部Ｅを搬送手段１００２に設け、挿入口１０１１から挿入された現金を一時保留部Ｅに一時的に保留し、一時保留部Ｅに保留した現金を払出口１０１２から返却している。
【先行技術文献】
【特許文献】
【０００４】
【特許文献１】特開２００４−２８７５１２号公報
【発明の概要】
【発明が解決しようとする課題】
【０００５】
ところで、上記従来の現金処理装置では、図５（ｂ）に示すように、金庫Ｃから出金する際に、搬送している現金が払い出すべき現金であるか否かを識別部１０２０で識別し、払い出すべき現金であると識別した現金は出金保留部Ｆ及び払出口１０１２を介して払い出す一方、払い出すべき現金でないと識別した現金は不良券であるとして一時保留部Ｅに退避させている。この不良券とされた現金は、粗悪なものが多いので現金処理装置から取り除くことが望ましい。
【０００６】
しかしながら、従来の現金処理装置では、図５（ａ）及び図５（ｂ）に示すように、金庫Ｃから出庫した現金のうち不良券とされた現金と、挿入口１０１１から挿入された現金のうち不良券とされた現金とを共通の一時保留部Ｅを用いて保留する構成であるので、不良券を一時保留部Ｅに保留した後で挿入口１０１１から挿入された現金を受け入れようとすると一時保留部Ｅを空状態にする必要があり、不良券を搬送経路１０２１又は金庫Ｃへ戻すしかなく不良券が循環して、不良券詰まり等の障害や不良券であると識別される現金が多くなることによる出金処理速度の低下を招いていた。
【０００７】
また、従来では、図５（ｂ）に示すように、挿入口１０１１から一時保留部Ｅへの円滑な搬送に資するために一時保留部Ｅと搬送経路１０２１との接続部分ＳＷＢを挿入口１０１１側に向かって傾斜させているので、金庫Ａ〜Ｄから一時保留部Ｅに対して現金を搬送するにあたり、前進していた現金の搬送方向を折り返して後退させて搬送するスイッチバックを行う必要がある。スイッチバックを行うと現金の搬送速度が遅くなり、さらに不良券であると識別される現金が多いと現金の搬送速度が著しく低下して規定の出金処理時間を遵守することが困難になる。
【０００８】
本発明は、このような課題に着目してなされたものであって、その目的は、不良券が搬送経路または金庫へ戻って循環することを防止して、出金処理速度を向上させるとともに、不良券詰まり等の障害を抑制し、ひいては製品品質を向上させた現金処理装置を提供することである。
【課題を解決するための手段】
【０００９】
本発明は、かかる目的を達成するために、次のような手段を講じたものである。
【００１０】
すなわち、本発明に係る現金処理装置は、挿入口および払出口を介して金庫に現金を入出金する現金処理装置であって、前記挿入口、前記払出口および前記金庫を接続する搬送経路と現金を識別する識別部とを有し当該搬送経路を介して現金を搬送する搬送手段と、前記挿入口から挿入された現金を一時的に保留する一時保留部と、前記一時保留部とは別に設けられ現金を貯留する不良券回収部と、前記金庫にある現金を払い出す払出指令に応じて当該払出指令に係る現金を前記金庫から前記払出口へ前記搬送手段を通じて搬送させる制御部とを具備してなり、前記制御部は、前記識別部による識別結果に基づいて前記金庫から出庫された現金が前記払出指令に係る現金であるか否かを判定し、前記払出指令に係る現金でないと判定された場合は当該現金を不良券として前記不良券回収部へ搬送し、前記不良券を前記不良券回収部に貯留し続けることを特徴とする。
【００１１】
従来では、金庫から出庫した現金のうち払出指令に係る現金でないと判定された現金である不良券と、挿入口から挿入された現金とを共通の一時保留部を用いて保留する構成であるので、不良券を一時保留部に保留した後で挿入口から挿入された現金を受け入れようとすると一時保留部を空状態にする必要があり、不良券を搬送経路または金庫へ戻すしかなく不良券が循環して、不良券詰まり等の障害や出金処理速度の低下を招いていたが、本発明では、一時保留部とは別に不良券回収部を設け、この不良券回収部に不良券を貯留し続けるので、不良券が搬送経路または金庫へ戻って循環することを防止でき、出金処理速度の向上、不良券詰まり等の障害発生を低減することができる。
【００１２】
ここで、金庫から出庫した現金のうち払出指令に係る現金でないと判定する場合には、例えば、読み取り不能時、金種の相違時、重送発生時、異常検知時等が挙げられる。
【００１３】
現金の搬送速度を向上させ、ひいては現金処理速度の向上に資するためには、前記不良券回収部は、前記搬送経路のうち前記金庫から出庫する出金方向終端部に接続されていることが好ましい。
【００１４】
上記不良券回収部に不良券を貯留し続ける構成を採用することによって新たに生じる不良券回収部が満杯になって搬送不能になることに対応するためには、前記不良券回収部における前記不良券の貯留量を検出する貯留量検出部をさらに備え、前記制御部は、前記貯留量検出部により検出される貯留量が所定量を超える場合に外部に報知することが望ましい。
【発明の効果】
【００１５】
本発明は、以上説明した構成であるから、不良券を不良券回収部に貯留し続けるので、不良券が搬送経路または金庫へ戻らず、不良券の循環を防止し、出金処理速度が向上するとともに、不良券詰まり等の障害が抑制され、ひいては製品品質を向上させることが可能となる。
【図面の簡単な説明】
【００１６】
【図１】本発明の一実施形態に係る現金処理装置を示す概略全体構成図。
【図２】一部の金庫を抜き取った状態を示す図１に対応した図。
【図３】同実施形態における搬送手段および制御部の構成および機能の概略を示すブロック図。
【図４】同実施形態において金庫からの出金時の動作を示す模式図。
【図５】従来の現金処理装置における金庫への入金時および金庫からの出金時の動作を示す模式図。
【発明を実施するための形態】
【００１７】
以下、本発明の一実施形態に係る現金処理装置を、図面を参照して説明する。なお、現金は紙幣と硬貨とを含むが、本実施形態では紙幣を取り扱う紙幣ブロックとしての現金処理装置を例に挙げて説明する。
【００１８】
図１に示す本実施形態の現金処理装置は、例えば乗車券やカード、精算切符等の券売を行う自動発券機として用いられるもので、紙幣ブロック１と、この紙幣ブロック１にセットされて紙幣の収納場所となる４つの金庫Ａ〜Ｄと、外部から投入される紙幣の金種を識別部２２で識別して金庫Ａ〜Ｄのうち対応する金庫に搬送経路２１を介して搬送する搬送手段２とを備えている。
【００１９】
紙幣ブロック１は、この現金処理装置を利用する利用者に近い側に挿入口１１、出金口１３、返却口１４（以下、出金口１３及び返却口１４を合わせて払出口１２ともいう）を設けたもので、同じく利用者に近い側に固定式の金庫Ｄを内設し、係員が操作を行う側に３つのカセット式の金庫Ａ〜Ｃを設けている。また、紙幣ブロック１には、金庫Ａ〜Ｃに対応して設けられこれら金庫Ａ〜Ｃへ識別部２２により真性であると識別された紙幣を収納する前に一次的に保留する一次保留部ａ１〜ｃ１、搬送経路２１上の紙幣（不良券を含む）を一時的に保留する一時保留部Ｅや出金保留部Ｆが設けられている。一時保留部Ｅと搬送経路２１との接続部分ＳＷＢは、挿入口１１からの円滑な搬送に資するために挿入口１１側に向かって傾斜して形成されており、金庫Ａ〜Ｄも同様である。出金保留部Ｆと搬送経路２１との接続部分は、各金庫Ａ〜Ｄからの円滑な搬送に資するために金庫Ａ〜Ｄ側に向かって傾斜して形成されている。
【００２０】
さらに一時保留部Ｅとは別に、読み取り不能、金種相違、重送発生、異常検知時の不良券を回収する不良券回収部Ｇが設けられている。不良券回収部Ｇは搬送経路２１のうち金庫Ａ〜Ｄから出庫する出金方向終端部に接続されている。不良券回収部Ｇは、図１に示すように、係員が操作を行う側に扉部ｇ１が設けられており、係員がこの扉部ｇ１を通じて不良券回収部Ｇに貯留された不良券を回収することが可能にされている。不良券回収部Ｇには、不良券の貯留量を検出する貯留量検出部２３が設けられている。搬送経路２１のうち出金方向終端部に不良券回収部Ｇを接続するとは、出金方向に沿って前進している現金を、その搬送方向を折り返して後退させることなく不良券回収部Ｇへ搬送可能であることをいい、例えば搬送ローラの回転を止めて逆回転することなく現金を搬送可能であることが挙げられる。
【００２１】
カセット式の金庫Ａ〜Ｃは、図２に例示するように把手ｈを把持して紙幣ブロック１から引き出すことが可能にされている。これら金庫Ａ〜Ｃと紙幣ブロック１との間には、必要に応じて電磁力等を利用して金庫Ａ〜Ｃを引き出し禁止状態にする図示しないロック機構が設けてあり、また、紙幣ブロック１又は金庫Ａ〜Ｃには、引き出し禁止状態か否かを表示して係員に了知させる図示しないＬＥＤ表示部が設けてある。
【００２２】
この実施形態では、図３に示すように、金庫Ａを第一金種たる一万円札を格納する第一金種金庫Ａとし、金庫Ｂを第二金種たる五千円札を格納する第二金種金庫Ｂとし、金庫Ｃを第三金種たる千円札を格納する第三金種金庫Ｃとし、金庫Ｄを第四金種たる二千円札を格納する第四金種金庫Ｄとして、金庫Ａ〜Ｄを四金種循環金庫として設定している。
【００２３】
図３に示すように、現金処理装置は、搬送手段２とこれを制御する制御部３とを含んで構成されている。搬送手段２は、周知の現金処理装置と同様に、図示しない挾持ローラ、搬送ベルト、ウィング等の方向変換部などから構成される搬送経路２１と、搬送される現金たる紙幣の金種および真性（偽造か否か）を識別する識別部２２と、紙幣の金種識別のみを行い紙幣の真性までは識別しない簡易型の識別部２０とを有している。
【００２４】
制御部３は、発券装置等の上位制御装置Ｍａからの指令に応じ、識別部２２或いは簡易型の識別部２０の識別結果等に基づいて搬送手段２を制御するものであり、挿入口１１から投入された紙幣を識別部２２に通過させた後、搬送経路２１に沿って流通させ、随所に設けた分岐部２６ａ〜２６ｇで必要に応じて紙幣を方向変換して、第一金種金庫Ａ、第二金種金庫Ｂ、第三金種金庫Ｃ、固定金庫Ｄ、一時保留部Ｅ、出金保留部Ｆ、払出口１２、不良券回収部Ｇ等へ搬送する動作を行うとともに、金庫Ａ〜Ｄ等から搬送経路２１上への紙幣の繰り出し動作、簡易型の識別部２０における金種識別、更には次なる搬送先である出金口１３や金庫Ａ〜Ｄへの搬送動作などを含む統括的な搬送制御を行うように構成されている。
【００２５】
この搬送制御の一例として、金庫Ａ〜Ｄから現金を払い出すべき払出指令を上位制御装置Ｍａから受け、払出指令に係る現金を金庫Ａ〜Ｄから出庫して払出口１２へ向かって搬送することが挙げられる。この搬送制御では、読み取り不能、金種相違、重送発生等を排除して現金を間違いなく適切に払い出すために、金庫Ａ〜Ｄから出庫した搬送中の現金が払出指令に係る現金であるか否かを簡易型の識別部２０により識別し、払出指令に係る現金であると識別した現金を出金保留部Ｆ及び払出口１２を介して払い出し、払出指令に係る現金でないと識別した現金を不良券として払い出さないように不良券回収部Ｇへ搬送して貯留し、不良券を不良券回収部Ｇに留めている。
【００２６】
この紙幣の搬送制御に対して、さらに制御部３は、貯留量検出部２３の検出に基づいて、貯留量検出部２３における不良券である現金の貯留量が所定量を超えるか否かを判定し、所定量を超えている場合にその旨を外部に報知する。外部に報知とは、不良券回収部Ｇにおける不良券の貯留量が所定量を超えていることを現金処理装置の外部に知らせることであり、例えば上位制御装置Ｍａへ報告する信号を送信したり、液晶表示部などの表示部４にその旨を表示したり、スピーカ５から所定の音を出力したりすること等が挙げられる。
【００２７】
上記で述べた搬送制御などを行う具体的な制御部３は、図３に示すように、入出金制御部３１と、搬送制御部３２と、不良券判定部３３と、報知判定部３４と、報知部３５とを含んで構成されている。
【００２８】
入出金制御部３１は、利用者が操作する図示しない操作部、搬送手段２や各種センサや上位制御装置Ｍａからの信号に基づいて入出金に関する総括的な制御を行うものであり、金庫Ａ〜Ｄから現金を払い出すべき払出指令を上位制御装置Ｍａから受け、払出指令に係る現金を金庫Ａ〜Ｄから出庫して払出口１２へ向かって搬送する搬送指令を搬送制御部３２に対して行う。
【００２９】
搬送制御部３２は、入出金制御部３１及び後述する不良券判定部３３からの紙幣の搬送指令に基づいて搬送手段２を駆動制御し、紙幣の搬送を行う。
【００３０】
不良券判定部３３は、上位制御装置Ｍａからの払出指令に基づいて金庫Ａ〜Ｄから払出口１２へ現金を搬送する際に、簡易型の識別部２０の識別結果に基づいて搬送中の現金が払出指令に係る現金であるか否かを判定し、払出指令に係る現金でない（すなわち不良券である）と判定した現金を不良券回収部Ｇへ搬送制御部３２を通じて搬送させるものである。
【００３１】
報知判定部３４は、貯留量検出部２３の検出結果に基づいて不良券回収部Ｇにおける不良券の貯留量が所定量を超えるか否かを判定する。
【００３２】
報知部３５は、報知判定部３４により不良券の貯留量が所定量を超えていると判定された場合に、上位制御装置Ｍａ、スピーカ５及び表示部４を通じて外部にその旨を報知する。
【００３３】
このような制御部３を実現する具体的な構成は、ＣＰＵ、メモリ及びインターフェイスを有する通常のマイクロコンピュータユニットにより構成され、メモリには図示しない搬送制御処理ルーチンや不良券判定処理ルーチンや報知判定処理ルーチンが格納してあり、ＣＰＵが適宜必要なプログラムを呼び出して実行することにより、上記の入出金制御部３１、搬送制御部３２、不良券判定部３３、報知判定部３４および報知部３５が実現される。これらの詳細な制御、例えば制御部３は、紙幣を各金庫Ａ〜Ｃに収納する前に一時的に一旦これらの一次保留部ａ１、ｂ１、ｃ１に保留し、その後、搬送経路２１上に一旦繰り出した後に金庫Ａ〜Ｃに収納する制御を行うが、本実施形態においてこれらの具体的な構成や制御については省略している。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００３４】
次に、金庫Ａ〜Ｄからの出金時の動作について図４を参照しつつ説明する。ここでは、上位制御装置Ｍａから払出指令として千円札１枚を払い出す指令を受け、第三金種金庫Ｃからお釣りとして１枚の千円札Ｍｏ１を払い出す例を説明する。
【００３５】
まず、不良券でない場合について説明すると、図４（ａ）に示すように、払出指令に応じて第三金種金庫Ｃから千円札Ｍｏ１が搬送経路２１を通じて簡易型の識別部２０へ搬送され、簡易型の識別部２０で千円札Ｍｏ１が識別される。ここでは、払出指令に係る現金（千円札）と、搬送された千円札Ｍｏ１が一致しているので不良券ではないと判定され、千円札Ｍｏ１が搬送経路２１を通じて出金保留部Ｆへ搬送されて払出口１２から払い出される。
【００３６】
一方、不良券である場合には、図４（ｂ）に示すように、人手による格納ミス等により第三金種金庫Ｃに一万円札Ｍｏ２が混入して格納されており、この一万円札Ｍｏ２が払出指令に応じて第三金種金庫Ｃから簡易型の識別部２０へ搬送され、簡易型の識別部２０で一万円札Ｍｏ２が識別される。ここでは、払出指令に係る現金（千円札）と、搬送された一万円札Ｍｏ２が一致していないので不良券であると判定され、一万円札Ｍｏ２が搬送経路２１を通じて出金保留部Ｆへ搬送されて貯留される。不良券が不良券回収部Ｇへ搬送されて累積的に貯留され、所定量を超えると、これを貯留量検出部２３が検知して、上位制御装置Ｍａ、表示部４及びスピーカ５を通じて外部へ報知される。
【００３７】
以上のように、本実施形態に係る現金処理装置は、挿入口１１および払出口１２を介して金庫Ａ〜Ｄに現金を入出金する現金処理装置であって、挿入口１１、払出口１２および金庫Ａ〜Ｄを接続する搬送経路２１と現金を識別する識別部２０とを有し搬送経路２１を介して現金を搬送する搬送手段２と、挿入口１１から挿入された現金を一時的に保留する一時保留部Ｅと、一時保留部Ｅとは別に設けられ現金を貯留する不良券回収部Ｇと、金庫Ａ〜Ｄにある現金を払い出す払出指令に応じて払出指令に係る現金を金庫Ａ〜Ｄから払出口１２へ搬送手段２を通じて搬送させる制御部３とを具備してなり、制御部３は、識別部２０による識別結果に基づいて金庫Ａ〜Ｄから出庫された現金が払出指令に係る現金であるか否かを判定し、払出指令に係る現金でないと判定された場合は現金を不良券として不良券回収部Ｇへ搬送し、不良券を不良券回収部Ｇに貯留し続けることを特徴とする。
【００３８】
従来では、金庫から出庫した現金のうち払出指令に係る現金でないと判定された現金である不良券と、挿入口から挿入された現金とを共通の一時保留部を用いて保留する構成であるので、不良券を一時保留部に保留した後で挿入口から挿入された現金を受け入れるためには一時保留部を空状態にする必要があり、不良券を搬送経路または金庫へ戻すしかなく不良券が循環して、不良券詰まり等の障害や出金処理速度の低下を招いていたが、本実施形態では、一時保留部Ｅとは別に不良券回収部Ｇを設け、この不良券回収部Ｇに不良券を貯留し続けるので、不良券が搬送経路２１または金庫Ａ〜Ｄへ戻って循環することを防止でき、出金処理速度の向上、不良券詰まり等の障害発生を低減することができる。
【００３９】
特に、不良券回収部Ｇが搬送経路２１のうち金庫Ａ〜Ｄから出庫する出金方向終端部に接続されているので、従来では、一時保留部に対して不良券を搬送するにあたり、前進していた現金の搬送方向を折り返して後退させて搬送するスイッチバックＳＷＢを採用していたため現金の搬送速度が著しく低下していたが、本実施形態では、搬送経路２１のうち出金方向終端部に不良券回収部Ｇを接続しているので、スイッチバックのように現金の搬送方向を折り返すことなくスムーズに不良券回収部Ｇへ搬送することができ、現金の搬送速度を向上させ、ひいては現金処理速度の向上に資することが可能となる。
【００４０】
さらに、不良券回収部Ｇにおける不良券の貯留量を検出する貯留量検出部２３をさらに備え、制御部３は、貯留量検出部２３により検出される貯留量が所定量を超える場合に外部に報知するので、不良券回収部Ｇに不良券を貯留し続ける構成を採用することによって新たに生じる不良券回収部Ｇが満杯になって搬送不能になることに対応することができる。
【００４１】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４２】
例えば、本実施形態では、金庫Ａ〜Ｄを四金種循環金庫としているが、金庫Ａ〜Ｄに格納する金種は本実施形態のものに限定されるものでなく、どの金種を格納することも可能である。また、固定式の金庫Ｄを二千円札と五千円札を格納する混合金庫とし、金庫Ａに千円札、金庫Ｂに一万円札を格納する循環金庫とし、金庫Ｃを多用途に利用可能な自在金庫に設定して、現金の補給及び回収を目的として現金処理装置を停止させることなく運用する、いわゆる無停止補給、無停止回収を実現した金庫設定も可能である。このような様々な金庫の設定に対しても本発明を適用することが可能である。
【００４３】
また、本実施形態では、現金としての紙幣を取り扱う紙幣ブロックとしての現金処理装置を例に挙げて説明したが、硬貨を取り扱う硬貨ブロックに対しては不良券回収部Ｇを不良硬貨回収部Ｇ’として本発明を適用することが可能である。
【００４４】
また、各部の具体的な構成は、上述した実施形態のみに限定されるものではなく、本発明の趣旨を逸脱しない範囲で種々変形が可能である。
【符号の説明】
【００４５】
１………紙幣ブロック
１１……挿入口
１２……払出口
Ａ〜Ｄ…金庫
２………搬送手段
２１……搬送経路
２０……識別部
２３……貯留量検出部
３１……入出金制御部
３２……搬送制御部
３３……不良券判定部
３４……報知判定部
３５……報知部
Ｅ………一時保留部
Ｇ………不良券回収部
【図１】
2011053888.tif 000003
【図２】
2011053888.tif 000004
【図３】
2011053888.tif 000005
【図４】
2011053888.tif 000006
【図５】
2011053888.tif 000007